(57)【要約】      （修正有）【課題】日除けとして紫外線をカットする材質を用いて顔を隠せる広さのお面体を、帽子ツバ先端部に装着して顔全面の日焼けから防御する。【解決手段】日除けお面の上部額部辺に、帽子つばが入れられる為の弓形状長方形状の溝穴を設けることによって、帽子つばに入れて装着し、顔を隠せる日除けお面体とした、さらに日除けお面と帽子つばに取り付ける方法は面ファスナによって圧着固定する。【選択図】図１
2007284853.tif 000002
【特許請求の範囲】
【請求項１】
顔全体の日除けとして樹脂板のお面体の上部に、帽子のつばが入る溝穴を設けて帽子つばに装着可能とすることを特徴とする日除けお面体。
【請求項２】
帽子のつばに水平状に取り付けてつばが延長できることを、特徴とする請求項１記載の日除けお面体。
【発明の詳細な説明】
【技術分野】
【０００１】本発明は太陽の日差しの強い時、直射日光が海水面、地上面に当たり真下から受ける反射光による、顔全体の日焼けを防御する為に帽子つばに装着する日除けに関するものである。
【背景技術】
【０００２】従来より、太陽の直射光から守る日除けの方法としては、一般的に釣り用帽子、野球帽子、麦藁帽子または、ツバが角度調整が出来るサンバイザー、紫外線防止用日焼けクリーム化粧品等の方法がある。【０００３】
【発明文献１】
特開平９−８７９１号
【発明文献２】
公開実用新案公報平３−１１０２１号
【発明の開示】
【発明の解決しようとする課題】
【０００４】上記の顔全体の日除けに関する文献１についての発明出願は、日光光線が真上から防御する為の透明板は鼻の位置迄に制止してあり、顔全体を防御する為の目的に充分に達成されていない事と角度調整にも課題がある。文献２の出願について顔全体の日除けには達成されているが、帽子つばの下部に復元力とゴム紐により装着実施としているが、風の強い日に日除けが飛ばされる心配の可能性がある、又タバコや飲料水等を用いる時の不便性がある。
【０００５】前述の日除け対策としては、ツバ付き帽子は、短時間屋外での日射病等に関わる問題としては解決しているが、太陽の日差しの強い時に、真上の日除けばかりで無く、一日中特に釣りをしている人、常に屋外作業従事する人達の日除けには帽子では防げない問題がある。例えば釣り人の場合には直射日光が海水面に当たり、キラキラ光る、眩しさが目を背ける程の真下からの跳ね返りによる反射光によって、顔全体に受け半日間で一年分に匹敵する程に顔が真っ黒く日焼けする現状である。また屋外専門の作業している人には、気の毒になるほどに日焼けをして顔のシミや皮膚ガンの心配がある。年々地球温暖化による紫外線の有害性も鑑みて、海水面や路面また冬季の積雪面等による直射日光が反射して下からの跳ね返りによる顔全体の日焼けに対する、防御する実用的な日除けがなかった課題があった。
【０００６】しかし、特定な理想とするバイク車のヘルメットは、顔全体の紫外線防止付があって、顔全体を覆っていて完璧ではあるが、一般的に簡単に使用されにくい課題がある。
【０００７】顔の日焼けには、高価な日焼け防止用クリームが有るが、長時間同じ場所にたたずむ釣り人や屋外での作業員の場合、太陽光からの水面の反射光からの眩しさや、路面の熱気を帯びた。真下からの跳ね返りの反射光による、顔や目の保護日除け日焼け防止にならない課題がある。
【０００８】そこで本発明は、前述の従来の技術の日除けとしての不充分な問題に於いて解決を目的とした。日差しの強い中で一日中太陽の下からの跳ね返る反射光は、有害な紫外線を顔面に受けることを防御する為に一般的市販の帽子のツバ部に日除けになるお面を取り付けて、垂直に顔の全体を覆うようなお面を簡単に取り付ける方法と効果をどのような手段を講じればよいかという課題とした。
【課題を解決するための手段】
【０００９】そこで一般的つば付帽子には年配者と若者達が被る帽子のつばの形状の違いがある。つばを表面から見ると水平状、若い人達には極端な湾曲形になっており、日除けお面体につばを入れる為の溝穴を開ける形状は、長方形や弓形状の溝穴が考えられる。またつばの平均値を考慮し溝穴幅を広めに開け帽子のつばに取り付けられる。日除けお面体の材質は軽くて薄い強度のある透明樹脂板に紫外線除け加工板を用い、また遮光効果が高い材料を用いた成型加工方法、または光の透過率の低い、半透明着色樹脂板でも良く、其の材質等を使用して顔全体を覆うお面形状に製作する。お面の形状は半円形や長方形に係わらず、顔を覆う日除けお面として効果ある形状に作成する。目や顔を保護する為の形状のお面は色々考えられる。顔の全周を直射反射光から守る解決を基本として、顔が隠れ得る範囲の日除けお面の作成を第一手段とした。
【００１０】次に帽子ツバに日除けお面を装着する為の方法として、日除けお面の本体の上部額い位置に、帽子のツバ体の厚みと幅の寸法に弓形状もしくは帽子つばの形状により長方形状でも良く、ツバの形が楽に入るように溝穴を開ける、お面は帽子ツバの大きさの形状によるが、帽子ツバの先端部から日除けお面が半分入る位置に留める。帽子ツバにお面を挿入した場合は自然的に、帽子ツバに対してお面が垂直に取り付けられる状態になって、反射光から顔の日除け防止位置になる。日除けお面を帽子ツバに入れる為の弓形または長方形溝穴を作成する本発明の特徴として作成第二手段とする。
【００１１】さらに日除けお面を帽子ツバに固定する為の手段として、弓形状のツバが入る溝穴の、後方上部両角隅にマジックテープ２枚を日除けお面の内側両左右に接着しておき、帽子ツバに圧着固定するためのお面側、マジックテープの第三手段とする。
【００１２】そして日除けお面を取り付ける為の、相手方の帽子つば側に両左右２個の、取り付け、取り外し自在の表面積が広く裏面は細板状の締め付け可能のクリップ状金具を用い、その広い表面にマジックテープを接着して置く、その表面金具と裏面はＵ字状の細幅鉄片で構成してあり、Ｕ字状の形態はＵ字の先端を前以て狭くしてありその事により、帽子ツバの縁にきつく挿入固定が可能になる、金具は帽子ツバ根本縁両左右に２個取り付けておく、日除けお面と帽子つばの取り付け取り外し可能とする。帽子つば側につける為のマジックテープ付クリップ金具の第四手段である。
【００１３】以上解決する為の図５、６に基づいて説明する、日除けお面１は薄い紫外線防止付樹脂板か、もしくは金型成型で製作する、更に帽子ツバ５が入れる為の弓形長方形状の溝穴２を設けてあり、ツバにお面１を入れた場合の形態は、垂直に顔の前面に覆い、理想的に日光の反射角から顔全周を防御するお面位置になる、そのお面１と帽子ツバ側５をお互いに装着するために、お面のマジックテープ側３と、帽子ツバ側にはマジック付き金具４があって相対し、お面１と帽子つば５の取り付け可能とする。常に帽子ツバにお面１を装着する際に、薄い樹脂状板のお面は柔軟性がある為に、楽にツバに沿って曲がり顔の側面の日焼けからも守られ、自然にお面の形態も視界もよくなり、海水面、路面に直射日光による、跳ね返る光の全反射角からも守られ、帽子ツバの先端部に顔を隠せる範囲のお面を取り付ける事により、有害な紫外線から目や顔の皮膚も守られ、市販の帽子や手持ちの帽子のツバに自在に装着可能とする事を特徴として、製作上も安価で手軽な顔の日焼け防止するお面として解決とした。
【００１４】更にこの日除けお面には二通り使用効果がある。図８参照、日差しが弱まった時や、真下からの跳ね返る反射光のない条件下の野山の散策時や又ス−ポツの観戦時には、お面を帽子つばからはずし、お面をツバ上に乗せ、同じマジック位置により反転固定設置することにより、長く広い帽子つばと変化して、真上の日光からの日除け用としても、サンバイザ−以上の効果が得られる．使用しない時に持ち歩く煩わしいこともなく、二通りの応用性も楽しめる、日除けお面としても解決をした。
【００１５】さらに旅行中や車中に於いて仮眠したい場合、帽子つばに日除けお面を付ける事とによりアイマスクの使用として口元も隠せる効果もある。
【発明の効果】
【００１６】日照りの強い日に、例えば一日中屋外に立ち尽くす釣り人や、道路工事の交通整理の人達には、日光の光が海水面又は路面に当たり、下からの跳ね返りによる熱気や太陽光の反射から顔の日焼けを充分に対処する為に、薄い樹脂板のお面には紫外線を遮断する機能が施された部材のお面には、帽子ツバの入る溝穴があり、お面をツバを入れた後は、垂直に顔の前面を覆う設定になって、さらにお面を帽子ツバに固定する際にお面の材質は柔軟性がありツバの外形縁状に沿って曲がり、顔の左右正面から受ける反射光からも守られ、日除けお面として更に機能性が充分発揮される。お面と帽子のツバの装着は、お互いのマジックテ−プによってお面の剥離圧着は簡単にできる。有害な紫外線から守る顔の日除けお面として提供できる。
【００１７】本発明のお面の溝穴の効果は、ツバに入れるとお面は自然的に顔の曲面に垂直に覆い、日除けとしてのお面の位置が確定される点と、強い風が吹いてもお面の溝穴がツバに入っている為に動く事もなく、さらにマジックテ−プにより圧着固定されており、飛ばされる心配もない溝穴の利便性も備えている。
【００１８】また更に、飲み物やタバコ等の行為をする時には、お面は顔の前にあって邪魔であるが、その解決法は一旦お面をマジックテープから外し、お面の先端部を上向きにして、再度マジックの着ける位置を変える事により、飲み物をする間隔ができる状況になる。お面の角度調整もネジ式のような複雑性もなく部品数も増えず安価であり、簡単に自在にできる利点もある。
【００１９】一般的な帽子及び特別な長いツバの帽子については、真上からの直射日光による日除けからは守られるが、ツバに近い額だけが白く、顔半分が白と黒になり斑点の汚い日焼け状況になっていた。特に女性や年配者の男性は肌の再生能力が薄れ日焼けによるシミ、荒れる肌の問題もあった。この解決発明として、市販の帽子ツバがあれば手軽に装着できる。日除けお面を購入することにより、顔全体の日除けとして、また帽子のツバに新たにお洒落感覚として、さらに形状や色模様を付加することにより、楽しめる日除けお面として利用範囲も広く軽くて非常に製作上も簡単に安価に提供できる。
【００２０】太陽光の直射の強い日に、帽子ツバにお面を装着することにより、光を跳ね返られる、斜光や真下の反射からの顔の前面に垂直にお面が防御する目的位置に自然に垂下して、有害な紫外線の反射から顔全面の日焼けを防止する。また目の保護用のサングラスとしても、二通りの効果にも役立つ。
【００２１】又、半着色透明の樹脂板お面として、作業中の小石、鉄片等の飛散防止や庭の草むしり等や、また目の花粉の保護にも有効な防面具体にもなり、ケ−ト、ポールでの日除け、雪合戦や吹雪の顔の防面具体として、子供の帽子ツバにも取り付け取り外しも楽な、広い用途の日除け面具体が提供できる。
【発明を実施するための最良の形態】
【００２２】本発明の実施の形態について日除けお面には帽子のツバが入る為の弓形状か長方形の溝穴があって、帽子ツバに装着することにより顔の日焼けを防御するものである。
図面１、２、３、４に基づいて説明する。【００２３】図１と図２には簡単な単体として示してある、日除けお面は重さを考慮して、柔軟な１ミリ前後の樹脂板材に紫外線防止の加工した物を、顔全面を覆う隋円形状のお面１を日除けお面体として、顔を覆った額上部辺に帽子のツバを入れる。弓形の溝穴２を帽子ツバが楽に入るように作成する。そのお面を帽子つば側に装着する為に、溝穴２から左右の上部角隅にマジックテ−プ３をお面側に２枚接着しておく。図３は帽子つば縁に取り付け取り外し可能とする２個のマジックテープ付のクリップ状の金具４である、二個の金具表面４にはマジックテ−プを接着しておく。さらに其のマジック付きクリップ状金具４は帽子つばにきつく挟みこむ形態にしてあり、帽子つばに２個両左右にきつく装填して、お面側と帽子ツバ側は両雄雌のマジックテ−プによって取り付け外す操作方法をとして可能とした日除けお面体として構成する。【００２４】図５の正面図は顔の全面が隠れる日除けお面を装着した状態である。【００２５】本発明の図６の側面図に於いて、お面は柔軟性があり、お面を装着する際に帽子ツバに沿って曲がりフイット感が得られ、日焼けお面として高級感も得られる。しかも顔を隠す役目も充分に満たし海水面及び路面や積雪面の反射による、顔全面の日焼け又はサングラス用として目の保護にも過大な効果が得られる。【００２６】図７はマジック付金具４について説明する。金具４の正面にマジックテ−プ３ａを接着してあり、其の金具４の裏面は正面と同一体で繋がっており幅狭くなっている細帯状の金属板４ｃの根本４ａをＲ状にして、金属板４ｃを金具４の裏面に接する様に、水平にさらに折り曲げその範囲は前以て帽子ツバ５の厚さより間隔４ｂを狭く金属帯状を折り曲げて設定しておくことにより、ツバ縁に強く入れ込む際に金属の挟む保持力が生じ、帽子ツバ５にはマジックテ−プ付金具４が確実に固定できる。その金具４とお面同士の脱着可能とする帽子ツバ側のマジック付金具４である。【００２７】図８に於いて実施図は、野原とか山等の環境では、下からの跳ね返る反射の少ない場所に必要としない時には、ツバからお面を取り外し、お面のマジック３位置と帽子ツバの金具４のマジックは同じ位置でよく、帽子つば上に圧着された日除けお面は長いツバと変化して、従来の帽子つばが大きなサンバイザ−として新しい日除け効果も満たされる。
【図面の簡単な説明】
【００２８】
【図１】本発明の日除けお面の実施例の正面図。
【図２】本発明の日除けお面の実施例の側面図。
【図３】本発明の帽子ツバ側に装着してあるマジック付金具の正面図。
【図４】本発明の帽子ツバに装着してあるマジック付金具の背面図。
【図５】本発明の日除けお面の装着実施例の正面図。
【図６】本発明の日除けお面の装着実施例の側面図。
【図７】マジックテープ付きの金具図。Ａ正面図、Ｂ底面図、Ｃ左側面図、Ｄ右側面図、Ｅ後背面図、Ｆ前背面図
【図８】本発明の日除けお面を帽子ツバ上に装着実施の側面図。
【符号の説明】
【００２９】１  紫外線防止付き日除け面具体
２  帽子のツバが入る溝穴
３  マジックテ−プ
４  マジックテ−プ付き金具
５  帽子のツバ
６  帽子
３ａ  金具付のマジックテ−プ
４ａ  幅狭い金具の根本のＲ状
４ｃ  帯板状の先端部
４ｂ  マジック付金具の裏面と４ｃ幅狭金属板との間隔
【図１】
2007284853.tif 000003
【図２】
2007284853.tif 000004
【図３】
2007284853.tif 000005
【図４】
2007284853.tif 000006
【図５】
2007284853.tif 000007
【図６】
2007284853.tif 000008
【図７】
2007284853.tif 000009
【図８】
2007284853.tif 000010